【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、前記方法は、
ビデオデータの現在ピクチャを符号化することと、
前記現在ピクチャの１つまたは複数のスライスのためのそれぞれのコロケート参照ピクチャインデックスシンタックス要素を生成することと、
イントラスライスタイプを有さず、時間動きベクトル予測子が有効にされた、前記１つまたは複数のスライスのうちのスライスのためにのみビットストリーム適合検査を実施することと、前記ビットストリーム適合検査は、各それぞれのコロケート参照ピクチャインデックスシンタックス要素が同じピクチャを指し、前記現在ピクチャ自体を参照しないように、前記それぞれのコロケート参照ピクチャインデックスシンタックス要素の値を制約する、
を備える、方法。
【請求項２】
前記１つまたは複数のスライスのためのスライスタイプを決定することと、前記スライスタイプがＰインタースライスタイプ、Ｂインタースライスタイプ、または前記イントラスライスタイプのうちの１つを含む、
前記時間動きベクトル予測子が前記１つまたは複数のスライスのためにインター予測のために有効にされるか否かを決定すること、または、
前記イントラスライスタイプを有する前記１つまたは複数のスライスのうちのスライスのために、または前記時間動きベクトル予測子が無効にされた前記１つまたは複数のスライスのうちのスライスのために前記ビットストリーム適合検査を実施しないこと、
をさらに備える、請求項１に記載の方法。
【請求項３】
前記対応するスライスのためのそれぞれのスライスヘッダ中で前記それぞれのコロケート参照ピクチャインデックスシンタックス要素を生成することと、
前記１つまたは複数のスライスのそれぞれのスライスヘッダ中で時間動きベクトル予測子有効フラグを生成することと
をさらに備える、請求項１に記載の方法。
【請求項４】
前記それぞれのコロケート参照ピクチャインデックスシンタックス要素が、それぞれのｃｏｌｌｏｃａｔｅｄ＿ｒｅｆ＿ｉｄｘシンタックス要素であり、
前記時間動きベクトル予測子有効フラグがｓｌｉｃｅ＿ｔｅｍｐｏｒａｌ＿ｍｖｐ＿ｅｎａｂｌｅｄ＿ｆｌａｇである、請求項３に記載の方法。
【請求項５】
ビデオデータの前記現在ピクチャを符号化することが、
前記現在ピクチャを参照ピクチャとして使用するインター予測モードを使用して、ビデオデータの前記現在ピクチャの１つまたは複数のブロックを符号化すること
を備える、請求項１に記載の方法。
【請求項６】
前記もう１つのスライスのうちの第１のスライスのためのスライスヘッダ中に、時間動きベクトル予測子が前記第１のスライスのために有効にされたことを示すシンタックス要素を含めることと、
前記１つまたは複数のスライスのうちの第２のスライスのための第２のスライスヘッダ中に、時間動きベクトル予測子が前記第２のスライスのために無効にされたことを示すシンタックス要素を含めることと
をさらに備える、請求項１に記載の方法。
【請求項７】
ビデオデータを符号化するように構成された装置であって、前記装置は、
ビデオデータの現在ピクチャを記憶するように構成されたメモリと、
１つまたは複数のプロセッサと
を備え、前記１つまたは複数のプロセッサは、
ビデオデータの現在ピクチャを符号化することと、
前記現在ピクチャの１つまたは複数のスライスのためのそれぞれのコロケート参照ピクチャインデックスシンタックス要素を生成することと、
イントラスライスタイプを有さず、時間動きベクトル予測子が有効にされた、前記１つまたは複数のスライスのうちのスライスのためにのみビットストリーム適合検査を実施することと、前記ビットストリーム適合検査は、各それぞれのコロケート参照ピクチャインデックスシンタックス要素が同じピクチャを指し、前記現在ピクチャ自体を参照しないように、前記それぞれのコロケート参照ピクチャインデックスシンタックス要素の値を制約する、
を行うように構成された、装置。
【請求項８】
前記１つまたは複数のプロセッサは、
前記１つまたは複数のスライスのためのスライスタイプを決定することと、前記スライスタイプがＰインタースライスタイプ、Ｂインタースライスタイプ、または前記イントラスライスタイプのうちの１つを含む、
前記時間動きベクトル予測子が前記１つまたは複数のスライスのためにインター予測のために有効にされるか否かを決定することと
を行うように、または、
前記イントラスライスタイプを有する前記１つまたは複数のスライスのうちのスライスのために、または前記時間動きベクトル予測子が無効にされた前記１つまたは複数のスライスのうちのスライスのために前記ビットストリーム適合検査を実施しないように
さらに構成された、請求項７に記載の装置。
【請求項９】
前記１つまたは複数のプロセッサが、
前記対応するスライスのためのそれぞれのスライスヘッダ中で前記それぞれのコロケート参照ピクチャインデックスシンタックス要素を生成することと、
前記１つまたは複数のスライスのそれぞれのスライスヘッダ中で時間動きベクトル予測子有効フラグを生成することと
を行うようにさらに構成された、請求項７に記載の装置。
【請求項１０】
前記それぞれのコロケート参照ピクチャインデックスシンタックス要素が、それぞれのｃｏｌｌｏｃａｔｅｄ＿ｒｅｆ＿ｉｄｘシンタックス要素であり、
前記時間動きベクトル予測子有効フラグがｓｌｉｃｅ＿ｔｅｍｐｏｒａｌ＿ｍｖｐ＿ｅｎａｂｌｅｄ＿ｆｌａｇである、請求項９に記載の装置。
【請求項１１】
ビデオデータの前記現在ピクチャを符号化するために、前記１つまたは複数のプロセッサが、
前記現在ピクチャを参照ピクチャとして使用するインター予測モードを使用して、ビデオデータの前記現在ピクチャの１つまたは複数のブロックを符号化する
ようにさらに構成された、請求項７に記載の装置。
【請求項１２】
前記１つまたは複数のプロセッサは、
前記もう１つのスライスのうちの第１のスライスのためのスライスヘッダ中に、時間動きベクトル予測子が前記第１のスライスのために有効にされたことを示すシンタックス要素を含めることと、
前記１つまたは複数のスライスのうちの第２のスライスのための第２のスライスヘッダ中に、時間動きベクトル予測子が前記第２のスライスのために無効にされたことを示すシンタックス要素を含めることと
を行うようにさらに構成された、請求項７に記載の装置。
【請求項１３】
前記１つまたは複数のプロセッサが、
符号化されるべきビデオデータの前記現在ピクチャをキャプチャすることと、
ビデオデータの前記符号化された現在ピクチャを出力することと
を行うようにさらに構成された、請求項７に記載の装置。
【請求項１４】
実行されたとき、ビデオデータを符号化するように構成されたデバイスの１つまたは複数のプロセッサに、
ビデオデータの現在ピクチャを符号化することと、
前記現在ピクチャの１つまたは複数のスライスのためのそれぞれのコロケート参照ピクチャインデックスシンタックス要素を生成することと、
イントラスライスタイプを有さず、時間動きベクトル予測子が有効にされた、前記１つまたは複数のスライスのうちのスライスのためにのみビットストリーム適合検査を実施することと、前記ビットストリーム適合検査は、各それぞれのコロケート参照ピクチャインデックスシンタックス要素が同じピクチャを指し、前記現在ピクチャ自体を参照しないように、前記それぞれのコロケート参照ピクチャインデックスシンタックス要素の値を制約する、
を行わせる命令を記憶する非一時的コンピュータ可読記憶媒体。
【請求項１５】
ビデオデータを復号するように構成された装置であって、前記装置は、
ビデオデータの符号化された現在ピクチャを記憶するように構成されたメモリと、
１つまたは複数のプロセッサと
を備え、前記１つまたは複数のプロセッサは、
ビデオデータの前記符号化された現在ピクチャを受信することと、
前記符号化された現在ピクチャの１つまたは複数のスライスのためのそれぞれのコロケート参照ピクチャインデックスシンタックス要素を受信することと、
イントラスライスタイプを有さず、時間動きベクトル予測子が有効にされた、前記１つまたは複数のスライスのうちのスライスのためにのみビットストリーム適合検査を実施することと、前記ビットストリーム適合検査は、各それぞれのコロケート参照ピクチャインデックスシンタックス要素が同じピクチャを指し、前記符号化された現在ピクチャ自体を参照しないかどうかを決定する、
を行うように構成された、装置。
【手続補正２】
【補正対象書類名】明細書
【補正対象項目名】０１８３
【補正方法】変更
【補正の内容】
【０１８３】
[0168]様々な例が説明された。これらおよび他の例は、以下の特許請求の範囲内に入る。
以下に、本願の出願当初の特許請求の範囲に記載された発明を付記する。
［Ｃ１］
ビデオデータを符号化する方法であって、前記方法は、
ビデオデータの現在ピクチャを符号化することと、
前記現在ピクチャの１つまたは複数のスライスのためのそれぞれのコロケート参照ピクチャインデックスシンタックス要素を生成することと、
イントラスライスタイプを有さず、時間動きベクトル予測子が有効にされた、前記１つまたは複数のスライスのうちのスライスのためにのみビットストリーム適合検査を実施することと、前記ビットストリーム適合検査は、各それぞれのコロケート参照ピクチャインデックスシンタックス要素が同じピクチャを指し、前記現在ピクチャ自体を参照しないように、前記それぞれのコロケート参照ピクチャインデックスシンタックス要素の値を制約する、
を備える、方法。
［Ｃ２］
前記１つまたは複数のスライスのためのスライスタイプを決定することと、前記スライスタイプがＰインタースライスタイプ、Ｂインタースライスタイプ、または前記イントラスライスタイプのうちの１つを含む、
前記時間動きベクトル予測子が前記１つまたは複数のスライスのためにインター予測のために有効にされるか否かを決定することと
をさらに備える、Ｃ１に記載の方法。
［Ｃ３］
前記イントラスライスタイプを有する前記１つまたは複数のスライスのうちのスライスのために、または前記時間動きベクトル予測子が無効にされた前記１つまたは複数のスライスのうちのスライスのために前記ビットストリーム適合検査を実施しないこと
をさらに備える、Ｃ１に記載の方法。
［Ｃ４］
前記対応するスライスのためのそれぞれのスライスヘッダ中で前記それぞれのコロケート参照ピクチャインデックスシンタックス要素を生成することと、
前記１つまたは複数のスライスのそれぞれのスライスヘッダ中で時間動きベクトル予測子有効フラグを生成することと
をさらに備える、Ｃ１に記載の方法。
［Ｃ５］
前記それぞれのコロケート参照ピクチャインデックスシンタックス要素が、それぞれのｃｏｌｌｏｃａｔｅｄ＿ｒｅｆ＿ｉｄｘシンタックス要素であり、
前記時間動きベクトル予測子有効フラグがｓｌｉｃｅ＿ｔｅｍｐｏｒａｌ＿ｍｖｐ＿ｅｎａｂｌｅｄ＿ｆｌａｇである、Ｃ４に記載の方法。
［Ｃ６］
ビデオデータの前記現在ピクチャを符号化することが、
前記現在ピクチャを参照ピクチャとして使用するインター予測モードを使用して、ビデオデータの前記現在ピクチャの１つまたは複数のブロックを符号化すること
を備える、Ｃ１に記載の方法。
［Ｃ７］
前記もう１つのスライスのうちの第１のスライスのためのスライスヘッダ中に、時間動きベクトル予測子が前記第１のスライスのために有効にされたことを示すシンタックス要素を含めることと、
前記１つまたは複数のスライスのうちの第２のスライスのための第２のスライスヘッダ中に、時間動きベクトル予測子が前記第２のスライスのために無効にされたことを示すシンタックス要素を含めることと
をさらに備える、Ｃ１に記載の方法。
［Ｃ８］
符号化されるべきビデオデータの前記現在ピクチャをキャプチャすることと、
ビデオデータの前記符号化された現在ピクチャを出力することと
をさらに備える、Ｃ１に記載の方法。
［Ｃ９］
ビデオデータを符号化するように構成された装置であって、前記装置は、
ビデオデータの現在ピクチャを記憶するように構成されたメモリと、
１つまたは複数のプロセッサと
を備え、前記１つまたは複数のプロセッサは、
ビデオデータの現在ピクチャを符号化することと、
前記現在ピクチャの１つまたは複数のスライスのためのそれぞれのコロケート参照ピクチャインデックスシンタックス要素を生成することと、
イントラスライスタイプを有さず、時間動きベクトル予測子が有効にされた、前記１つまたは複数のスライスのうちのスライスのためにのみビットストリーム適合検査を実施することと、前記ビットストリーム適合検査は、各それぞれのコロケート参照ピクチャインデックスシンタックス要素が同じピクチャを指し、前記現在ピクチャ自体を参照しないように、前記それぞれのコロケート参照ピクチャインデックスシンタックス要素の値を制約する、
を行うように構成された、装置。
［Ｃ１０］
前記１つまたは複数のプロセッサは、
前記１つまたは複数のスライスのためのスライスタイプを決定することと、前記スライスタイプがＰインタースライスタイプ、Ｂインタースライスタイプ、または前記イントラスライスタイプのうちの１つを含む、
前記時間動きベクトル予測子が前記１つまたは複数のスライスのためにインター予測のために有効にされるか否かを決定することと
を行うようにさらに構成された、Ｃ９に記載の装置。
［Ｃ１１］
前記１つまたは複数のプロセッサは、
前記イントラスライスタイプを有する前記１つまたは複数のスライスのうちのスライスのために、または前記時間動きベクトル予測子が無効にされた前記１つまたは複数のスライスのうちのスライスのために前記ビットストリーム適合検査を実施しない
ようにさらに構成された、Ｃ９に記載の装置。
［Ｃ１２］
前記１つまたは複数のプロセッサが、
前記対応するスライスのためのそれぞれのスライスヘッダ中で前記それぞれのコロケート参照ピクチャインデックスシンタックス要素を生成することと、
前記１つまたは複数のスライスのそれぞれのスライスヘッダ中で時間動きベクトル予測子有効フラグを生成することと
を行うようにさらに構成された、Ｃ９に記載の装置。
［Ｃ１３］
前記それぞれのコロケート参照ピクチャインデックスシンタックス要素が、それぞれのｃｏｌｌｏｃａｔｅｄ＿ｒｅｆ＿ｉｄｘシンタックス要素であり、
前記時間動きベクトル予測子有効フラグがｓｌｉｃｅ＿ｔｅｍｐｏｒａｌ＿ｍｖｐ＿ｅｎａｂｌｅｄ＿ｆｌａｇである、Ｃ１２に記載の装置。
［Ｃ１４］
ビデオデータの前記現在ピクチャを符号化するために、前記１つまたは複数のプロセッサが、
前記現在ピクチャを参照ピクチャとして使用するインター予測モードを使用して、ビデオデータの前記現在ピクチャの１つまたは複数のブロックを符号化する
ようにさらに構成された、Ｃ９に記載の装置。
［Ｃ１５］
前記１つまたは複数のプロセッサは、
前記もう１つのスライスのうちの第１のスライスのためのスライスヘッダ中に、時間動きベクトル予測子が前記第１のスライスのために有効にされたことを示すシンタックス要素を含めることと、
前記１つまたは複数のスライスのうちの第２のスライスのための第２のスライスヘッダ中に、時間動きベクトル予測子が前記第２のスライスのために無効にされたことを示すシンタックス要素を含めることと
を行うようにさらに構成された、Ｃ９に記載の装置。
［Ｃ１６］
前記１つまたは複数のプロセッサが、
符号化されるべきビデオデータの前記現在ピクチャをキャプチャすることと、
ビデオデータの前記符号化された現在ピクチャを出力することと
を行うようにさらに構成された、Ｃ９に記載の装置。
［Ｃ１７］
実行されたとき、ビデオデータを符号化するように構成されたデバイスの１つまたは複数のプロセッサに、
ビデオデータの現在ピクチャを符号化することと、
前記現在ピクチャの１つまたは複数のスライスのためのそれぞれのコロケート参照ピクチャインデックスシンタックス要素を生成することと、
イントラスライスタイプを有さず、時間動きベクトル予測子が有効にされた、前記１つまたは複数のスライスのうちのスライスのためにのみビットストリーム適合検査を実施することと、前記ビットストリーム適合検査は、各それぞれのコロケート参照ピクチャインデックスシンタックス要素が同じピクチャを指し、前記現在ピクチャ自体を参照しないように、前記それぞれのコロケート参照ピクチャインデックスシンタックス要素の値を制約する、
を行わせる命令を記憶する非一時的コンピュータ可読記憶媒体。
［Ｃ１８］
ビデオデータを復号するように構成された装置であって、前記装置は、
ビデオデータの符号化された現在ピクチャを記憶するように構成されたメモリと、
１つまたは複数のプロセッサと
を備え、前記１つまたは複数のプロセッサは、
ビデオデータの前記符号化された現在ピクチャを受信することと、
前記符号化された現在ピクチャの１つまたは複数のスライスのためのそれぞれのコロケート参照ピクチャインデックスシンタックス要素を受信することと、
イントラスライスタイプを有さず、時間動きベクトル予測子が有効にされた、前記１つまたは複数のスライスのうちのスライスのためにのみビットストリーム適合検査を実施することと、前記ビットストリーム適合検査は、各それぞれのコロケート参照ピクチャインデックスシンタックス要素が同じピクチャを指し、前記符号化された現在ピクチャ自体を参照しないか否かを決定する、
を行うように構成された、装置。
［Ｃ１９］
前記１つまたは複数のプロセッサは、
前記１つまたは複数のスライスのためのスライスタイプを決定することと、前記スライスタイプがＰインタースライスタイプ、Ｂインタースライスタイプ、または前記イントラスライスタイプのうちの１つを含む、
前記時間動きベクトル予測子が前記１つまたは複数のスライスのためにインター予測のために有効にされるか否かを決定することと
を行うようにさらに構成された、Ｃ１８に記載の装置。
［Ｃ２０］
前記１つまたは複数のプロセッサは、
前記イントラスライスタイプを有する前記１つまたは複数のスライスのうちのスライスのために、または前記時間動きベクトル予測子が無効にされた前記１つまたは複数のスライスのうちのスライスのために前記ビットストリーム適合検査を実施しない
ようにさらに構成された、Ｃ１８に記載の装置。
［Ｃ２１］
前記１つまたは複数のプロセッサは、
前記対応するスライスのためのそれぞれのスライスヘッダ中で前記それぞれのコロケート参照ピクチャインデックスシンタックス要素を受信することと、
前記１つまたは複数のスライスのそれぞれのスライスヘッダ中で時間動きベクトル予測子有効フラグを受信することと
を行うようにさらに構成された、Ｃ１８に記載の装置。
［Ｃ２２］
前記それぞれのコロケート参照ピクチャインデックスシンタックス要素が、それぞれのｃｏｌｌｏｃａｔｅｄ＿ｒｅｆ＿ｉｄｘシンタックス要素であり、
前記時間動きベクトル予測子有効フラグがｓｌｉｃｅ＿ｔｅｍｐｏｒａｌ＿ｍｖｐ＿ｅｎａｂｌｅｄ＿ｆｌａｇである、Ｃ２１に記載の装置。
［Ｃ２３］
前記１つまたは複数のプロセッサが、
前記現在ピクチャを参照ピクチャとして使用するインター予測モードを使用して、ビデオデータの前記現在ピクチャの１つまたは複数のブロックを復号する
ようにさらに構成された、Ｃ１８に記載の装置。